(57)【要約】【課題】ユーザーが視覚的に分かりやすい輝度ムラ補正機能を提供することが可能な画像表示装置を提供する。【解決手段】画像における輝度の調整対象領域をパターン化して示す複数のパターン画像Ｐ（Ｐ１〜Ｐ９）をＯＳＤ表示するＯＳＤ処理部１３と、ＯＳＤ表示された複数のパターン画像Ｐの中から、任意のパターン画像Ｐの選択を受け付けるパターン画像選択操作部（入力操作部１６）と、画像の輝度を調整する操作を受け付ける輝度調整操作部（入力操作部１６）と、選択されたパターン画像Ｐに対応する調整対象領域における画像の輝度を調整するムラ補正部１４と、を備えた。【選択図】図２
2014071444.tif 000002
【特許請求の範囲】
【請求項１】
光変調装置により変調された画像を画像表示面に表示する画像表示装置であって、
前記画像における輝度の調整対象領域をパターン化して示す複数のパターン画像をＯＳＤ表示するＯＳＤ表示部と、
ＯＳＤ表示された前記複数のパターン画像の中から、任意のパターン画像の選択を受け付けるパターン画像選択操作部と、
前記画像の輝度を調整する操作を受け付ける輝度調整操作部と、
前記輝度調整操作部で受け付けた操作にしたがって、選択された前記パターン画像に対応する前記調整対象領域における前記画像の輝度を調整する輝度補正部と、を備えたことを特徴とする画像表示装置。
【請求項２】
前記複数のパターン画像は、
前記画像の輝度の調整対象領域として、前記画像の左上領域、左側領域、左下領域、右上領域、右側領域、右下領域、上側領域、下側領域のいずれかの領域を示すパターン画像、および前記画像全体を輝度の調整対象領域とするパターン画像を含むことを特徴とする請求項１に記載の画像表示装置。
【請求項３】
輝度を調整したい階調を選択する操作を受け付ける階調選択操作部を備え、
前記輝度補正部は、
前記輝度調整操作部で受け付けた操作にしたがって、前記階調選択操作部により選択された階調の画像における、前記パターン画像選択操作部により選択された前記パターン画像に対応する前記調整対象領域に対して輝度調整を行うことを特徴とする請求項１または２に記載の画像表示装置。
【請求項４】
前記輝度補正部は、赤色、緑色、青色の成分毎に輝度の調整を行うことを特徴とする請求項１ないし３のいずれか１項に記載の画像表示装置。
【請求項５】
光変調装置により変調された画像を画像表示面に表示する画像表示装置の輝度ムラ補正方法であって、
前記画像における輝度の調整対象領域をパターン化して示す複数のパターン画像をＯＳＤ表示するステップと、
ＯＳＤ表示された前記複数のパターン画像の中から、任意のパターン画像の選択を受け付けるステップと、
前記画像の輝度を調整する操作にしたがって、選択された前記パターン画像に対応する前記調整対象領域における前記画像の輝度を調整するステップと、を実行することを特徴とする画像表示装置の輝度ムラ補正方法。
【発明の詳細な説明】
【技術分野】
【０００１】
本発明は、画像表示面に画像を表示する画像表示装置および画像表示装置の輝度ムラ補正方法に関するものである。
【背景技術】
【０００２】
従来、液晶パネルを用いた画像表示装置において、各液晶パネルの構成部品の光学的特性（透過率や反射率）にばらつきがある場合に生じる輝度ムラ（色ムラ）を自動的に補正するものが知られている。例えば、特許文献１には、所定の階調による複数の色光による画像を投写し、その投写画像を撮像装置により撮像した結果に基づいて、投写画像の複数の領域ごとに輝度ムラを補正する投射型画像表示装置が開示されている。
【先行技術文献】
【特許文献】
【０００３】
【特許文献１】特開２００９−１４７４３１号公報
【発明の概要】
【発明が解決しようとする課題】
【０００４】
しかしながら、上記の画像表示装置により輝度ムラの補正を行う場合、ユーザーは、実際にどのように画像の輝度ムラが補正されるのかを視覚的に把握しにくいという問題がある。また、上記の画像表示装置では、輝度ムラの補正を行うために撮像装置が必要となりコストがかかるという問題がある。
【０００５】
本発明は、上記の問題に鑑み、低コストで、且つユーザーが視覚的に分かりやすい輝度ムラ補正機能を提供することが可能な画像表示装置および画像表示装置の輝度ムラ補正方法を提供することを目的とする。
【課題を解決するための手段】
【０００６】
本発明の画像表示装置は、光変調装置により変調された画像を画像表示面に表示する画像表示装置であって、画像における輝度の調整対象領域をパターン化して示す複数のパターン画像をＯＳＤ表示するＯＳＤ表示部と、ＯＳＤ表示された複数のパターン画像の中から、任意のパターン画像の選択を受け付けるパターン画像選択操作部と、画像の輝度を調整する操作を受け付ける輝度調整操作部と、輝度調整操作部で受け付けた操作にしたがって、選択されたパターン画像に対応する調整対象領域における画像の輝度を調整する輝度補正部と、を備えたことを特徴とする。
【０００７】
本発明の画像表示装置の輝度ムラ補正方法は、光変調装置により変調された画像を画像表示面に表示する画像表示装置の輝度ムラ補正方法であって、画像における輝度の調整対象領域をパターン化して示す複数のパターン画像をＯＳＤ表示するステップと、ＯＳＤ表示された複数のパターン画像の中から、任意のパターン画像の選択を受け付けるステップと、画像の輝度を調整する操作にしたがって、選択されたパターン画像に対応する調整対象領域における画像の輝度を調整するステップと、を実行することを特徴とする。
【０００８】
これらの構成によれば、ユーザーによる輝度の調整操作にしたがって、選択されたパターン画像に対応する輝度の調整対象領域のパターンに基づいて画像の輝度を調整することができる。すなわち、ユーザーは、スクリーンやディスプレイ等の画像表示面に表示された画像に輝度ムラがあると認識したとき、その画像を見ながら対象となる領域（輝度の調整対象領域）に対して輝度調整を行ない、輝度ムラを補正することができる。これにより、ユーザーは、実際にどのように画像の輝度ムラが補正されるのかを視覚的に把握しながら補正を行うことができる。
また、カメラ等の撮像装置が不要であるため、低コストで輝度ムラの補正を行うことができる。
【０００９】
本発明の画像表示装置において、複数のパターン画像は、画像の輝度の調整対象領域として、画像の左上領域、左側領域、左下領域、右上領域、右側領域、右下領域、上側領域、下側領域のいずれかの領域を示すパターン画像、および画像全体を輝度の調整対象領域とするパターン画像を含むことが好ましい。
【００１０】
この構成によれば、画像全体、または画像の８方向の各領域の中から輝度調整を行う領域を選択できる。これにより、ユーザーは画像において輝度を補正したい領域を簡単に選択することができる。
【００１１】
本発明の画像表示装置において、輝度を調整したい階調を選択する操作を受け付ける階調選択操作部を備え、輝度補正部は、輝度調整操作部で受け付けた操作にしたがって、階調選択操作部により選択された階調の画像における、パターン画像選択操作部により選択されたパターン画像に対応する調整対象領域に対して輝度調整を行うことが好ましい。
【００１２】
この構成によれば、選択した階調の画像（基準画像）を用いて輝度補正を行うことができる。すなわち、単色の画像により輝度補正が行えるため、ユーザーは輝度ムラを目視しやすい。
なお、選択可能な階調としては、白、明るい灰色、灰色（明るい灰色と暗い灰色の中間）、暗い灰色、黒の５段階の階調とすることが好ましい。
【００１３】
本発明の画像表示装置において、輝度補正部は、赤色、緑色、青色の成分毎に輝度の調整を行うことが好ましい。
【００１４】
この構成によれば、赤色、緑色、青色の成分毎に輝度調整が可能であるため、ユーザーは、きめ細かな輝度調整を行うことができる。
【図面の簡単な説明】
【００１５】
【図１】本実施形態に係るプロジェクターの構成を示すブロック図である。
【図２】輝度ムラ補正の手順を示すフローチャートである。
【図３】輝度ムラ調整画面を説明する図である。
【図４】図（ａ）は、調整レベル設定画面を説明する図であり、図（ｂ）は、調整レベルゲージによる階調調整を説明する図である。
【図５】調整基準位置選択画面を説明する図である。
【図６】図（ａ）は、画像の右上領域に輝度ムラが生じた場合のパターン画像の選択操作を説明する図であり、図（ｂ）は、画像全体の輝度調整を行う場合のパターン画像の選択操作を説明する図である。
【図７】ＲＧＢ調整画面を説明する図である。
【発明を実施するための形態】
【００１６】
以下、添付の図面を参照し、本発明の一実施形態に係る画像表示装置および画像表示装置の画像調整方法について説明する。本実施形態では、画像表示装置としてプロジェクター１を例に挙げて説明する。図１は、プロジェクター１の構成を示すブロック図である。同図に示すように、プロジェクター１は、画像信号入力部１１、画像処理部１２、ＯＳＤ処理部１３、ムラ補正部１４（輝度補正部）、投写光学系１５、入力操作部１６およびこれらを制御する制御部１７を備えている。
【００１７】
画像信号入力部１１は、パーソナルコンピューターやＤＶＤプレーヤー等の外部機器２、あるいはＵＳＢメモリーやコンパクトフラッシュ（登録商標）等の外部記憶媒体３から画像情報（画像信号）を入力する。
【００１８】
画像処理部１２は、画像信号入力部１１により入力した画像情報に対し、予め記憶されている画像処理プログラムに基づいて、所定の画像処理を実行する。所定の画像処理としては、解像度変換、シャープネス調整等の画質調整等が含まれる。
【００１９】
ＯＳＤ処理部１３は、制御部１７の指示に基づいて、メニュー画像やメッセージ画像（ＯＳＤ画像）等で構成されるＯＳＤ（オンスクリーンディスプレイ）画面を、画像処理部１２から入力される画像情報に重畳する処理を行なう。ＯＳＤ処理部１３は、図示しないＯＳＤメモリーを備えており、ＯＳＤ画像を形成する図形やフォント等を表すＯＳＤ画像情報を記憶している。制御部１７が、ＯＳＤ画像の重畳を指示すると、ＯＳＤ処理部１３は、必要なＯＳＤ画像情報をＯＳＤメモリーから読み出し、入力された画像情報の所定の位置にＯＳＤ画像情報を重畳する処理を実行する。ＯＳＤ画像情報が合成された画像情報は、ムラ補正部１４に出力される。一方、制御部１７からＯＳＤ画像を重畳する旨の指示がない場合には、ＯＳＤ処理部１３は、画像処理部１２から入力される画像情報を、そのままムラ補正部１４に出力する。なお、請求項における「ＯＳＤ表示部」は、ＯＳＤ処理部１３を主要な構成要素とする。
【００２０】
ムラ補正部１４は、制御部１７の指示に基づいて、ＯＳＤ処理部１３から入力された画像情報の輝度ムラを補正する。そして、補正した画像情報をライトバルブ駆動部２４へ出力する。なお、制御部１７から画像の輝度ムラを補正する指示がない場合は、ムラ補正部１４は、ＯＳＤ処理部１３から入力された画像情報を、そのままライトバルブ駆動部２４へ出力する。
【００２１】
投写光学系１５は、スクリーン等の投写面Ｓ（画像表示面）上に画像を投写するものであり、光源部２１、光源駆動部２２、液晶ライトバルブ２３（光変調装置）、ライトバルブ駆動部２４および投写レンズ２５を有している。
【００２２】
光源部２１は、ハロゲンランプ、メタルハライドランプまたは高圧水銀ランプ等から成る光源ランプ２１ａと、光源ランプ２１ａから射出した光を略一定の方向に反射するリフレクター２１ｂとにより構成される。光源部２１から射出された光（照明光）は、不図示の光分離光学系によって、赤色（Ｒ）、緑色（Ｇ）、青色（Ｂ）の色成分に分離された後、各色用の液晶ライトバルブ２３（２３Ｒ、２３Ｇ、２３Ｂ）に入射する。光源駆動部２２は、制御部１７から指示に基づいて、光源部２１に対する電力の供給と停止を制御し、光源部２１の点灯および消灯を切り替える。
【００２３】
液晶ライトバルブ２３は、一対の透明基板間に液晶が封入された液晶パネル等によって構成される。液晶ライトバルブ２３は、マトリクス状に配列された複数の画素から成る矩形の画素領域２３ａが形成されており、液晶に対して画素毎に駆動電圧を印加可能になっている。ライトバルブ駆動部２４は、液晶ライトバルブ２３の各画素に、画像情報に応じた駆動電圧を印加することにより、各画素の光透過率を設定する。
【００２４】
上記の構成により、投写光学系１５では、光源部２１から射出された光が、液晶ライトバルブ２３の画素領域２３ａを透過することによって変調され、画像情報に応じた画像が色光毎に形成される。形成された各色の画像は、不図示の光合成光学系（ダイクロイックプリズムなど）により画素毎に合成され、投写レンズ２５によって投写面Ｓ上に投写される。
【００２５】
入力操作部１６は、ユーザーからの入力操作を受け付けるものであり、ユーザーがプロジェクター１に対して各種指示を行うための複数の操作キーを備えている。操作キーとしては、電源のＯＮ／ＯＦＦを切り替える電源キーや、各種設定用のＯＳＤメニュー画面の表示や終了を行うメニューキー、ＯＳＤメニュー画面等で選択された項目を確定する決定キー、上下左右に対応する４つの方向キー、動作の取消しや１つ前の動作（画面）に戻るための取消キー等がある。なお、請求項における「パターン画像選択操作部」、「輝度調整操作部」および「階調選択操作部」は、入力操作部１６を主要な構成要素とする。
【００２６】
ユーザーが入力操作部１６の各種操作キーを操作すると、入力操作部１６は、ユーザーの操作内容に応じた操作信号を制御部１７に出力する。本実施形態では、主にＯＤＳメニューの一機能として提供される画像の輝度ムラ調整機能により、画像の輝度ムラ（色ムラ）を調整するための操作手段として用いられる（詳細は後述する）。
【００２７】
なお、入力操作部１６として、遠隔操作が可能なリモコン（不図示）を用いた構成としても良い。この場合、リモコンは、ユーザーの操作内容に応じた赤外線の操作信号を発信し、図示しないリモコン信号受信部がこれを受信して制御部１７に伝達する。
【００２８】
制御部１７は、ＣＰＵ（Central  Processing  Unit）、ＲＯＭ（Read  Only  Memory）、およびＲＡＭ（Random  Access  Memory）等により構成される。ＣＰＵは、各種演算処理を行う中央処理装置であり、各部との信号の入出力を行うことによりプロジェクター１を統括制御する。ＲＯＭは、ＣＰＵが各種演算処理を行うために用いられる制御プログラムおよび制御データを記憶している。当該制御プログラムには、上述の画像処理部１２やムラ補正部１４において用いられる画像処理プログラムが含まれる。ＲＡＭは、ＣＰＵが各種演算処理を行う際の作業領域として用いられる。
【００２９】
次に、図２ないし図７を参照して、輝度ムラ補正を行う際のプロジェクター１の動作を説明する。図２は、輝度ムラ補正の手順を示すフローチャートである。図３ないし図６は、輝度ムラ補正を実行する際にユーザーが操作する操作画面（ＯＳＤ画面）およびその操作方法の一例について説明する図である。
【００３０】
まず、ユーザーによりＯＳＤメニュー画面から「輝度ムラ調整（ユニフォーミティー）」の項目が選択されると、プロジェクター１の制御部１７は、現時点で投写されている投写画像（画像信号入力部１１で入力した画像情報に基づく画像）を、予め設定された所定の階調（例えば、「白色」）に対応した画像（以下、「基準画像Ｇ（図６参照）」と称す。）でマスクすると共に、ＯＳＤ処理部１３に指示をして、輝度ムラ調整画面Ｄ０１（図３参照）を基準画像Ｇに重畳表示する（図２：Ｓ０１）。なお、上記の画像の生成方法（表示方法）は一例であり、これに限るものではない。すなわち、制御部１７は、投写画像として所定の階調の画像を表示できれば、その方法は問わない。
【００３１】
図３に示すように、輝度ムラ調整画面Ｄ０１には、上記の基準画像Ｇの階調を調整（変更）する際に選択する「調整レベル３１」、および実際に画像の輝度ムラ調整処理を開始する際に選択する「調整開始３２」の２つの選択肢と、入力操作部１６が有する操作キーの内の操作可能なキーとその動作を案内する操作案内情報３３と、が表示される。
【００３２】
次に、輝度ムラ調整画面Ｄ０１を表示している状態で（図２：Ｓ０１の状態）、ユーザー操作により「調整レベル３１」が選択されると、制御部１７は、調整レベル設定画面Ｄ０２（図４参照）を基準画像Ｇに重畳表示する（図２：Ｓ０２）。
【００３３】
図４（ａ）に示すように、調整レベル設定画面Ｄ０２には、基準画像Ｇの階調を調整（変更）するための調整レベルゲージ４１および操作案内情報４２が表示される。本実施形態では、調整レベルゲージ４１の操作により、基準画像Ｇの階調を、「黒色」、「暗い灰色」、「灰色（明るい灰色と暗い灰色の中間）」、「明るい灰色」、「白色」の５段階に調整することが可能となっている。具体的には、図４（ｂ）に示すように、ユーザーによる方向キー（左右キー）の操作により、調整レベルゲージ４１が左端から右端に移動されるに従って、基準画像Ｇの階調が、「黒色」→「暗い灰色」→「灰色」→「明るい灰色」→「白色」の順に設定される。
【００３４】
調整レベル設定画面Ｄ０２において、ユーザーにより調整レベルゲージ４１が操作され基準画像Ｇの階調が決定されると、制御部１７は、表示している基準画像Ｇの階調を決定された階調に変更して表示する（図２：Ｓ０３）。その後、ユーザー操作により輝度ムラ調整画面Ｄ０１（図３参照）に戻って「調整開始３２」が選択されると、制御部１７は、ＯＳＤ処理部１３に指示をして、調整基準位置選択画面Ｄ０３（図５参照）を基準画像Ｇに重畳表示する（図２：Ｓ０４）。
【００３５】
図５に示すように、調整基準位置選択画面Ｄ０３には、基準画像Ｇにおける輝度の調整対象領域（すなわち、画素領域２３ａにおける輝度の調整対象領域）を示す９つのパターン画像Ｐ（Ｐ１〜Ｐ９）と、操作案内情報５１と、ユーザーに対するメッセージ５２（「調整対象を選択してください。」）が表示される。
【００３６】
このパターン画像Ｐは、基準画像Ｇ（画素領域２３ａ）の左上領域を輝度の調整対象領域とするパターン画像Ｐ１、左側領域を調整対象領域とするパターン画像Ｐ２、左下領域を調整対象領域とするパターン画像Ｐ３、上側領域を調整対象領域とするパターン画像Ｐ４、下側領域を調整対象領域とするパターン画像Ｐ５、右上領域を調整対象領域とするパターン画像Ｐ６、右側領域を調整対象領域とするパターン画像Ｐ７、右下領域を調整対象領域とするパターン画像Ｐ８、および基準画像Ｇ（画素領域２３ａ）全体を調整対象領域とするパターン画像Ｐ９で構成されている。
【００３７】
さらに、このパターン画像Ｐは、単に調整対象領域を示すだけではなく、その領域の輝度がどのように調整されるのかをイメージとして表示している。例えば、パターン画像Ｐ１は、基準画像Ｇ（画素領域２３ａ）の左上領域の輝度調整を行う場合に、画像の左上角部から画像の中心部に向かってグラデーションを形成するパターンで輝度を調整することを示している（パターン画像Ｐ２〜Ｐ８についても同様である）。また、パターン画像Ｐ９は、基準画像Ｇ（画素領域２３ａ）全体の輝度を均一に調整することを示している。
【００３８】
また、パターン画像Ｐ１〜Ｐ９のうちの１つは、その輪郭が他の８つとは異なる配色で表示されており、そのパターン画像Ｐが選択されている状態であることを示している（図５では、パターン画像Ｐ１が選択されている状態を示している）。
【００３９】
ユーザーは、目視により基準画像Ｇの輝度ムラが生じている位置を確認し、方向キーを操作することにより輝度ムラが生じている位置に対応するパターン画像Ｐを選択する。例えば、図６（ａ）に示すように、ユーザーが投写面Ｓに投写された基準画像Ｇの右上に輝度ムラ（図中の網掛け部分）があると認識した場合、ユーザーは方向キーを操作してパターン画像Ｐ６を選択する。また、図６（ｂ）のように、ユーザーが基準画像Ｇ全体に対して輝度調整が必要だと認識した場合（例えば、全体的に赤味を帯びている（図中では網掛けで表現）とユーザーが認識した場合等）は、ユーザーは方向キーを操作してパターン画像Ｐ９を選択する。
【００４０】
次に、調整基準位置選択画面Ｄ０３において、ユーザーにより所望のパターン画像Ｐが選択（決定）されると、制御部１７は、ＯＳＤ処理部１３に指示をして、ＲＧＢ調整画面Ｄ０４（図７参照）を重畳表示する（図２：Ｓ０５）。
【００４１】
なお、ＲＧＢ調整画面Ｄ０４の表示は、ユーザーが調整基準位置選択画面Ｄ０３（図５参照）で選択したパターン画像Ｐが示す調整対象領域に重ならない位置（あるいは視覚的に邪魔にならない位置）に重畳表示される。例えば、ユーザーがパターン画像Ｐ１を選択した場合、輝度の調整対象領域は基準画像Ｇの左上領域となるため、ＲＧＢ調整画面Ｄ０４は基準画像Ｇの右下に表示される。また、ユーザーがパターン画像Ｐ９を選択した場合、調整対象領域は基準画像Ｇ全体となるため、ＲＧＢ調整画面Ｄ０４は基準画像Ｇの下側に重畳表示される。
【００４２】
図７に示すように、ＲＧＢ調整画面Ｄ０４には、赤色（Ｒ）、緑色（Ｇ）、青色（Ｂ）の成分毎に輝度の調整を行うＲＧＢ調整ゲージ６１（赤調整ゲージ６１Ｒ、緑調整ゲージ６１Ｇ、青調整ゲージ６１Ｂ）および操作案内情報６２が表示される。また、画面上部には、輝度の調整対象領域の位置を示すメッセージ６３が表示される（図７では、調整対象領域が基準画像Ｇ（画素領域２３ａ）の「左上」であることを示す）。
【００４３】
ユーザーは、方向キーを操作して３つのＲＧＢ調整ゲージ６１を調整することで、基準画像Ｇ（画素領域２３ａ）の輝度ムラを調整する。制御部１７は、ユーザーによりＲＧＢ調整ゲージ６１が操作されると、ムラ補正部１４に指示をし、調整基準位置選択画面Ｄ０３（図５参照）で選択されたパターン画像Ｐに対応する調整対象領域（画素領域２３ａ）に対して、ＲＧＢ調整ゲージ６１の調整量（移動量）に応じた輝度調整を実行する（図２：Ｓ０６）。
【００４４】
すなわち、図６（ａ）のように基準画像Ｇの右上領域に輝度ムラが生じている場合、ＲＧＢ調整ゲージ６１の調整量に応じて、画像の右上角部から画像の中心部に向かってグラデーションを形成するパターンで輝度を調整することにより、輝度ムラを補正する。また、図６（ｂ）のように基準画像Ｇ全体の輝度調整を行う場合、ＲＧＢ調整ゲージ６１の調整量に応じて、画像全体の輝度を均一に調整することにより、輝度を補正する。なお、基準画像Ｇ全体の補正は、例えば、他の８つの領域を調整して単色の輝度ムラを直した後に、画像全体を調整して各色間のずれ（全面の色付き）を補正するために用いられる。
【００４５】
以上説明したとおり、本実施形態によれば、ユーザーによる輝度の調整操作にしたがって、選択されたパターン画像Ｐに対応する輝度の調整対象領域のパターンに基づいて画像（画素領域２３ａ）の輝度を調整することができる。すなわち、ユーザーは、投写面Ｓに投写された画像に輝度ムラがあると認識したとき、その画像を見ながら対象となる領域に対して輝度調整を行ない、輝度ムラを補正することができる。これにより、ユーザーは、実際にどのように画像の輝度ムラが補正されるのかを視覚的に把握しながら補正を行うことができる。また、カメラ等の撮像装置が不要であるため、低コストで輝度ムラの補正を行うことができる。
【００４６】
なお、上記で説明した輝度ムラ補正は、調整レベル設定画面Ｄ０２（図４参照）で設定可能な全ての階調の基準画像Ｇに対して実行することが好ましい。すなわち、ユーザーはある階調の基準画像Ｇ（例えば、「白色」の基準画像Ｇ）に対して輝度調整を行った後、順次、他の階調の基準画像Ｇ（「明るい灰色」、「灰色」、「暗い灰色」、「黒色」の基準画像Ｇ）に対しても同様に輝度調整を行うことで、より確実に輝度ムラを補正できる。
【００４７】
また、輝度ムラ補正処理において、１つの階調で調整が終わったら、プロジェクター１（制御部１７）が次の階調の基準画像Ｇを自動的に表示し、全ての階調の基準画像Ｇに対する輝度調整が実行された場合に、補正処理完了とするようにしても良い。
【００４８】
また、本実施形態では、基準画像Ｇの階調を５段階に調整可能としているが、あくまでも一例であり、これに限るものではない。調整可能な階調数を減らしても良いし、あるいはさらに細分化しても良い。
【００４９】
また、本実施形態では、輝度の調整対象領域を９つの領域に分割しているが、これに限るものではなく、さらに細分化しても良い。
【００５０】
また、本実施形態では、光源部２１は放電型の光源ランプ２１ａにより構成されているが、レーザーやＬＥＤ等の固体光源を用いても良い。
【００５１】
また、本実施形態では、プロジェクター１の表示方式として、透過型液晶表示方式を採用しているが、反射型液晶表示方式、ＤＬＰ（Digital  Light  Processing）（登録商標）方式等、その表示原理は問わない。また、プロジェクター１以外にも、透過型のスクリーンを一体的に備えたリアプロジェクター、液晶ディスプレイ等の画像表示装置に本発明を適用しても良い。
【００５２】
また、上記の実施形態に示したプロジェクター１の各機能（各処理）をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１の各構成要素として機能させるためのプログラム、およびそれを記録した記録媒体も、本発明の権利範囲に含まれるものである。
【００５３】
また、上述した実施例によらず、プロジェクター１の装置構成や処理工程等について、本発明の要旨を逸脱しない範囲で、適宜変更も可能である。
【符号の説明】
【００５４】
１…プロジェクター  １２…画像処理部  １３…ＯＳＤ処理部  １４…ムラ補正部  １６…入力操作部  ２３，２３Ｒ，２３Ｇ，２３Ｂ…液晶ライトバルブ  ４１…調整レベルゲージ  ６１…ＲＧＢ調整ゲージ  Ｐ，Ｐ１〜Ｐ９…パターン画像  Ｄ０２…調整レベル設定画面  Ｄ０３…調整基準位置選択画面  Ｄ０４…ＲＧＢ調整画面  Ｓ…投写面
【図１】
2014071444.tif 000003
【図２】
2014071444.tif 000004
【図３】
2014071444.tif 000005
【図４】
2014071444.tif 000006
【図５】
2014071444.tif 000007
【図６】
2014071444.tif 000008
【図７】
2014071444.tif 000009